(57)【要約】【課題】装置構成がシンプルで、複数設けられた発光体の発光状態を容易かつ連続的に変化させることが可能な遊技機の提供を目的とした。【解決手段】本発明の遊技機は、サイドランプ３０を備えている。サイドランプ３０は、回転体３２を有し、この外周面４２に発光ダイオードからなる発光体３４が複数、螺旋状に並べて設けられている。そのため、発光装置３０は、回転体３２を回転させると、発光体３４から発せられる光が次々と遊技者の目に入り、残像効果などの影響によりあたかも回転体３２の外周面に螺旋状に巻き付いた帯状の光が回転体３２の軸心方向に向けて進んでいるかのように見える。【選択図】図３
2009279285.tif 000002
【特許請求の範囲】
【請求項１】
所定の軸心を中心として回転可能な回転体と、
前記軸心に対して交差する方向に光軸が向き、前記回転体の外側に向けて光を放射可能なように設けられた発光体と、を備えており、
当該発光体が、前記回転体の周方向に複数、所定の間隔を空けて配されていることを特徴とする遊技機。
【請求項２】
回転体において軸心方向一端側に設けられた始点から軸心方向他端側に設けられた終点に向けて複数の発光体を螺旋状に配して形成される発光体群Ａと、
前記始点から前記終点に向けて前記発光体群Ａとは逆方向に旋回する螺旋状に複数の発光体を配して形成される発光体群Ｂとを有することを特徴とする請求項１又は２に記載の遊技機。
【請求項３】
回転体が筒状であり、
当該回転体の内側に前記回転体の外周側から軸心側に放射される光を遮光可能な遮光部材が設けられていることを特徴とする請求項１〜２のいずれかに記載の遊技機。
【請求項４】
回転体の外周側に、外殻部材が配されており、
当該外殻部材が、透光性を有する透光部と、当該透光部よりも透光性の低い遮蔽部とが周方向に交互に配されていることを特徴とする請求項１〜３のいずれかに記載の遊技機。
【発明の詳細な説明】
【技術分野】
【０００１】
本発明は遊技機に関するものであり、特に発光による演出用に設けられた構成部分に特徴を有するものに関する。
【背景技術】
【０００２】
従来より、下記特許文献１に開示されているような遊技機が提供されている。この種の遊技機では、下記特許文献１，２に開示されているような発光装置が遊技の演出用として採用されている。従来技術の遊技機で採用されている発光装置は、光源として機能する電球や発光ダイオードが透光性を有するケース内に多数、並べて収容され、これらが所定の規則に従って点灯する構成とされている。
【特許文献１】特開２００１−２８６６０８号公報
【特許文献２】特開２００１−９５９８７号公報
【発明の開示】
【発明が解決しようとする課題】
【０００３】
ここで、上述したような従来技術の遊技機で採用されている発光装置は、光源となる電球などを所定の順序で発光させる等して、演出効果を発揮するものであったが、各光源を次々と発光させても、全体として連続性のある線状の発光状態で発光させることが困難であった。また、従来技術の遊技機では、制御により複数の光源を連続的に発光させようとした場合、各光源間における発光状態の切り替えをスムーズに行わせるために複雑な発光制御を行わねばならないという問題があった。
【０００４】
そこで、本発明は、装置構成がシンプルで、複数設けられた発光体の発光状態を連続的に変化させることが可能な遊技機の提供を目的とした。
【課題を解決するための手段】
【０００５】
上記課題を解決すべく提供される本発明の遊技機は、所定の軸心を中心として回転可能な回転体と、前記軸心に対して交差する方向に光軸が向き、前記回転体の外側に向けて光を放射可能なように設けられた発光体と、を備えている。また、本発明の遊技機では、前記した発光体が、前記回転体の周方向に複数、所定の間隔を空けて配されている。
【０００６】
本発明の遊技機において、発光体は、回転体の外周に螺旋状に並べて配されていることが望ましい。また、本発明の遊技機は、回転体において軸心方向一端側に設けられた始点から軸心方向他端側に設けられた終点に向けて複数の発光体を螺旋状に配して形成される発光体群Ａと、前記始点から前記終点に向けて前記発光体群Ａとは逆方向に旋回する螺旋状に複数の発光体を配して形成される発光体群Ｂとを有する構成とすることも可能である。
【０００７】
本発明の遊技機は、回転体が所定の軸心方向に複数並べて設けられており、各回転体の回転を、独立的に制御可能なものであってもよい。
【０００８】
また、本発明の遊技機は、回転体が筒状であり、当該回転体の内側に前記回転体の外周側から軸心側に放射される光を遮光可能な遮光部材が設けられた構成とすることも可能である。さらに、本発明の遊技機は、回転体の外周側に、外殻部材が配されており、当該外殻部材が、透光性を有する透光部と、当該透光部よりも透光性の低い遮蔽部とが周方向に交互に配されたものとすることも可能である。
【発明の効果】
【０００９】
本発明の遊技機は、所定の軸心を中心として回転可能な回転体を有する。また、本発明の遊技機は、光軸を回転体の軸心に対して交差する方向に向けて設置された発光体が複数、周方向に所定の間隔を空けて設けられている。そのため、本発明の遊技機は、回転体の回転に伴い、この外周に設けられた発光体から発せられる光が次々と遊技者の目に入り、残像効果などの影響によりあたかも模様が連続的に変化しているかのように見える。従って、本発明によれば、装置構成がシンプルで優れた演出効果を容易に得ることが可能な遊技機を提供することができる。
【００１０】
また、上述した本発明の遊技機において、発光体を回転体の外周に螺旋状に並べて配した場合は、各発光体を発光させた状態で回転体を回転させることにより、回転体の外周において発光する螺旋状で帯状の部分が次々と回転体の軸方向に進むように見える演出効果を発現させることができる。
【００１１】
さらに、上述した本発明の遊技機において、回転体の軸心方向一端側に設けられた始点から軸心方向他端側の終点に向けて複数の発光体を螺旋状に配した発光体群Ａだけでなく、発光体群Ａとは逆方向に旋回する螺旋状に複数の発光体を配して形成される発光体群Ｂとを設けた構成とすることも可能である。このような構成とした場合、各発光体を発光させた状態で回転体を回転させることにより、発光体群Ａによって形成された螺旋状で帯状に発光する部分だけでなく、発光体群Ｂによって形成された螺旋状で帯状に発光する部分も次々と回転体の軸方向に進むように見える。また、発光体群Ａ，Ｂは、それぞれ回転体の軸心を中心として互いに逆方向に旋回するように設けられている。そのため、本発明の遊技機では、発光体群Ａ，Ｂによって形成される螺旋状の光の帯が互いに絡まりながら次々と回転体の軸方向に進むように見え、発光体群Ａのみを設けた場合に比べてより一層複雑な演出効果を得ることができる。
【００１２】
また、上述したように発光体群Ａ，Ｂを設けた場合は、発光体群Ａ，Ｂのいずれか一方を構成する発光体のみを発光させ、他方を構成する発光体を発光させない状態で回転体を回転させることも可能である。このような発光状態で回転体を回転させると、発光体群Ａ，Ｂを構成する発光体のうち、回転体の外周において発光しているものにより形成される螺旋状で帯状に光る部分が次々と回転体の軸方向に進むように見える演出効果を発揮させることができる。
【００１３】
本発明の遊技機は、所定の軸心方向に回転体を複数並べて設けた構成とした場合、発光体を発光させた状態で各回転体を回転させると、残像効果などの影響により発光体から発せられる光が、あたかも模様を連続的に変化させているかのように見える演出効果を発揮することができる。また、本発明の遊技機は、各回転体の回転を、独立的に制御可能な構成とすることが可能である。かかる構成とした場合、各回転体を別々の回転状態で回転させることにより、各回転体が設けられた部位において異なる模様が連続的に変化するように見える演出効果を生じさせることができる。また、各回転体を同様の回転状態で回転させることにより、各回転体の軸心方向に一体となって発光により生じる模様が連続的に変化するように見えるなどの演出効果を生じさせることも可能である。
【００１４】
ここで、上述した回転体が透光性を有する場合、回転体の外周に設けられた発光体において発生した光が、回転体の内側を通って反対側に透過したり写り込む等すると、これにより発光体が発光することによる演出効果が損なわれる可能性がある。かかる事態が想定される場合は、回転体を筒状とし、この回転体の内側に遮光部材を設け、回転体の外周側から軸心側に放出される光を遮光できる構造とすることにより、回転体に取り付けられた各発光体において発せられる光が、回転体の内側を通って反対側に漏れたり写り込むのを防止できる。従って、回転体の内側に前記したような遮光部材を設ければ、より一層演出効果に優れた遊技機を提供することができる。
【００１５】
また、本発明の遊技機は、回転体の外周側に外殻部材を設けると共に、この外殻部材に、透光性を有する透光部と、当該透光部よりも透光性の低い遮蔽部とを周方向に交互に並べた構成とすれば、回転体の回転に伴って透光部を発光体から発せられる光がスムーズに進むように見えるような演出効果を得ることができる。
【発明を実施するための最良の形態】
【００１６】
続いて、本発明の一実施形態に係る遊技機１０について、図面を参照しつつ詳細に説明する。なお、以下の説明において、上下左右等の位置関係は、遊技機１０を通常に設置した状態を基準とする。図１は、遊技機１０を示す正面図である。図２は、遊技機１０の内部構造を示す正面図である。図３は図１に示す遊技機が備える発光装置３０を示す斜視図、図４は図３に示す発光装置の断面図、図６は図３に示す発光装置の作動状態を示す斜視図である。図８〜図１０、並びに、図１２は、図３に示す発光装置の変形例を示す斜視図である。図１１は、図１０に示す発光装置の断面図である。
【００１７】
図１に示す遊技機１０は、いわゆるスロットマシンである。図２に示すように、遊技機１０は、筐体１２ａと、これに対して開閉自在に取り付けられた前面扉１２ｂとを有する。筐体１２ａの内部には、メイン制御基板１４や、回胴１６、メダル払出装置１８に加え、各種センサ類やスイッチ類等、様々な機器類が収容されている。また、前面扉１２ｂの裏面側、すなわち遊技機１０の使用状態において内側となる面には、サブ制御基板１５をはじめとする機器類が設けられている。サブ制御基板１５は、前述したメイン制御基板１４と共に遊技機１０の動作を司る制御手段６４を構成している。
【００１８】
一方、図１に示すように、前面扉１２ｂの表面側（外側）、すなわち遊技機１０の正面をなし、使用状態において遊技者側に向く面には、メダル投入用の投入口２０ａやメダル払出用の払出口２０ｂに加え、遊技機１０の操作用のボタン類が設けられている。具体的には、回胴１６を停止させるためのストップボタン２２ａやメダル返却ボタン２２ｂをはじめとする様々なボタン類や、回胴１６の回転始動用のスタートレバー２２ｃ等が設けられている。さらに、前面扉１２ｂの表面側には、遊技機１０の演出効果を高めるための構成として、画像等を表示するための演出表示部２４ａや、回胴１６を視認可能とするための表示窓２４ｂ、スピーカー２４ｃに加え、サイドランプ３０（発光装置）が表示窓２４ｂの両脇に沿って設けられている。
【００１９】
図３や図４に示すように、サイドランプ３０は、回転体３２と、これに対して取り付けられた多数の発光体３４と、遮光部材３６と、駆動源３８とを有している。回転体３２は、樹脂等によって形成された円筒状のものである。回転体３２の外周面４２には、後に詳述する発光体３４の発光部分を露出させるための小孔３３が多数、設けられている。小孔３３は、外周面４２において所定の間隔毎に、螺旋状に並べて設けられている。回転体３２は、上端側および下端側から支軸４０が突出している。図１に示すように、回転体３２は、支軸４０を前面扉１２ｂに設けられた軸受（図示せず）に嵌め込むことにより軸心が上下方向に伸びるように設置されており、支軸４０を軸心として自由に回転可能とされている。
【００２０】
発光体３４は、発光ダイオードによって構成されている。図１や図３に示すように、発光体３４は、回転体３２の内側に配された遮光部材３６の外周面を台座とし、回転体３２の外周面４２に設けられた各小孔３３に発光部分を嵌め込むようにして設けられている。そのため、発光体３４は、回転体３２の外周面４２において、所定の間隔毎に螺旋状に並んでいる。図４に示すように、発光体３４は、その光軸Ｈが回転体３２の軸心Ｌに対して交差しており、回転体３２の外側に向けて発光可能とされている。発光体３４は、上述したサブ制御基板１５に対して電気的に接続されている。サブ制御基板１５は、図５に示すように演出制御手段２６を備えている。演出制御手段２６は、上述した演出表示部２４ａや、スピーカー２４ｃなどの動作に加え、サイドランプ３０を構成する発光体３４の発光状態や駆動源３８の動作状態を制御することができる。
【００２１】
遮光部材３６は、樹脂等によって形成された筒体であり、遮光性を有する。図４に示すように、遮光部材３６は、外周面４２に配された発光体３４よりも回転体３２の内側に配されている。遮光部材３６は、上述したように発光体３４の取り付け用の台座としての機能に加え、光が回転体３２の外周側から内側を通って反対側に透過するのを防止する機能を有する。そのため、発光体３４の発光により回転体３２の内側に光が漏れてきても、この光が回転体３２の内側を通って反対側の面から透過したり、反対側の面に写り込むのを防止することができる。
【００２２】
駆動源３８は、モータなどによって構成されており、支軸４０に対して回転動力を付与可能とされている。駆動源３８は、支軸４０に対して直接的、あるいは、ベルトや歯車などの動力伝達部材を介して間接的に接続されている。駆動源３８は、上述したサブ制御基板１５に対して電気的に接続されており、サブ制御基板１５から発信される制御信号に基づいて作動可能とされている。
【００２３】
サイドランプ３０は、サブ制御基板１５によって動作が制御されている。具体的には、サブ制御基板１５は、遊技機１０において実施されている遊技の状態にあわせて発光体３４を発光させたり、駆動源３８を作動させて回転体３２を支軸４０を中心として回転させることができる。サイドランプ３０は、各発光体３４を発光させた状態で回転体３２を回転させると、残像効果などの影響により、図６に示すように、各発光体３４から発せられる光が連なったように見え、回転体３２の外周面４２に巻き付くように帯状の発光部分が形成されているように見える状態になる。また、上記したサイドランプ３０は、回転体３２の外周面４２に各発光体３４が所定の間隔毎に螺旋状に配されているため、回転体３２を回転させると、図６に矢印で示すように上述した帯状の発光部分が次々と連続的に支軸４０の方向に進むように見える状態になる。
【００２４】
上記したサイドランプ３０は、回転体３２の回転方向を切り替えるだけで、各発光体３４によって形成される螺旋状の光の帯の進行方向を上方あるいは下方に切り替えることができる。従って、上記した構成によれば、サイドランプ３０による演出のバリエーションに富んだ遊技機１０を提供することができる。
【００２５】
上記したサイドランプ３０は、各発光体３４を連続的に点灯状態にしたまま回転体３２を回転させるものであったが、本発明はこれに限定されるものではなく、回転体３２の回転に際して、適宜、発光体３４を断続的に点灯状態とするものであってもよい。かかる構成によれば、帯状の光が螺旋を描きつつ移動するように見える演出効果に加えて、螺旋状に光る部分が点滅しながら軸心Lに沿って移動するように見える演出効果を得ることができ、より一層バリエーションに富んだ演出効果を得ることができる。
【００２６】
上記したサイドランプ３０は、回転体３２を一定の速度で回転させるものであってもよいが、回転体３２の回転速度を適宜変更可能な構成としてもよい。かかる構成によれば、各発光体３４の発光により回転体３２の外周面４２に形成された螺旋状の光の帯が、支軸４０ｂに沿って移動する移動速度を適宜変更させることが可能であり、サイドランプ３０による演出効果のバリエーションを増加させることができる。
【００２７】
上記したサイドランプ３０は、発光体３４が単色で発光するものであってもよいが、本発明はこれに限定されるものではなく、例えば発光体３４として発光色を適宜変更可能なものを採用してもよい。かかる構成によれば、遊技機１０の遊技状態などに応じて、適宜選択された発光色でサイドランプ３０を発光させることができる。また、サイドランプ３０は、各発光体３４の取り付け位置に応じて異なる発光色で発光するものとしてもよい。具体的には、各発光体３４の発光色が回転体３２の軸方向に向けて徐々に変化する構成としてもよい。かかる構成によれば、サイドランプ３０の発光色が、回転体３２の長手方向に順次変化していくように見え、サイドランプ３０による演出効果をより一層バリエーションに富んだものとすることができる。
【００２８】
上記したように、遊技機１０は、遊技状態に応じて回転体３２の回転状態の切り替えや、発光体３４の発光状態の切り替えを適宜組み合わせて実施されてもよい。具体的には、回転体３２の回転速度や、回転方向、発光体３４の発光色や、発光体３４による発光の連続性などの条件を複合的に変化させることにより、より一層変化に富んだ演出効果を得ることができる。
【００２９】
上記した回転体３２の回転方向や回転速度、各発光体３４の発光状態などのサイドランプ３０の作動条件については、遊技機１０の遊技状態に応じて適宜変更することとしてもよい。かかる構成によれば、遊技機１０の遊技状態を反映し、適切な演出効果を得ることが可能となる。
【００３０】
上述したサイドランプ３０は、表示窓２４ｂの側方に配されており、無意識のうちに遊技者の目に入る位置にある。また、サイドランプ３０は、支軸４０が、表示窓２４ｂを介して見える回胴１６の進行方向（上下方向）に沿うように配されている。そのため、サイドランプ３０は、回転体３２を回転させると、帯状の光が回胴１６の回転に沿って変化するように見え、回胴１６の回転と調和の取れた演出を行うことができる。
【００３１】
なお、上記実施形態では、発光体３４を備えた回転体３２を、支軸４０を中心として回転させることが可能な発光装置をサイドランプ３０として採用した例を示したが、本発明はこれに限定されるものではない。例えば演出表示部２４ａなどに上述したサイドランプ３０と同様の構成の発光装置を設けた構成としてもよい。また、上記実施形態では、サイドランプ３０を表示窓２４ｂに対して左右に隣接する位置に配した構成を例示したが、本発明はこれに限定されるものではなく、上下に隣接する位置等、適宜の場所に配した構成としてもよい。
【００３２】
上記したサイドランプ３０は、遮光部材３６を回転体３２の内側に設けたものであるため、発光体３４において発生した光が、回転体３２の内側を通って、回転体３２の径方向反対側に透過したり、写り込むといった不具合が起こらない。そのため、サイドランプ３０は、各発光体３４において発生した光が際だって見える。なお、上記実施形態では、回転体３２を透過する光の影響を考慮し、遮光部材３６を設けた構成を例示したが、本発明はこれに限定されるものではない。具体的には、回転体３２の内側を通って反対側の面に光が透過したり写り込むことが問題にならない場合や、回転体３２として透光性の低いものを採用した場合などは、遮光部材３６を適宜省略することも可能である。
【００３３】
また、上記したサイドランプ３０は、発光体３４が発光し、回転体３２は発光しないものであったが、本発明はこれに限定されるものではなく、回転体３２も発光可能なものであってもよい。具体的には、サイドランプ３０は、透光性を有する回転体３２の内側に所定の発光色で発光可能な光源を設け、これにより発光体３４だけでなく、回転体３２も発光可能としてもよい。かかる構成によれば、各発光体３４による発光色と、回転体３２が呈する色との兼ね合いで、さらにサイドランプ３０の演出効果を高めることができる。
【００３４】
上記したサイドランプ３０は、回転体３２の外周面４２に複数の発光体３４を配して形成された発光体群（以下、第１の発光体群とも称す）を有するものであったが、本発明はこれに限定されるものではなく、例えば各発光体３４を所定の間隔毎に複数列設けた構成としてもよい。また、前記した第１の発光体群とは異なるピッチで発光体３４を配した発光体群（以下、第２の発光体群とも称す）を別途設けた構成としてもよい。具体的には、図７に示すように、回転体３２の周方向に並ぶ各発光体３４同士の間隔や、回転体３２の軸方向に並ぶ各発光体３４同士の間隔を第１の発光体群（図７において白丸で描画）と、第２の発光体群（図７において黒丸で描画）と、で相違させた構成としてもよい。
【００３５】
上記したサイドランプ３０は、支軸４０の下方から上方に向けて、回転体３２の外周面４２を旋回して形成される軌跡に沿って各発光体３４を所定の間隔毎に一列に設けた発光体群（以下、発光体群Ａとも称す）を有するものであったが、本発明はこれに限定されるものではない。具体的には、図８に示すように、発光体群Ａを構成する発光体３４（図８では白丸で描画）とは逆方向に旋回する軌跡に沿って複数の発光体３４（図８では黒丸で描画）を配した発光体群Ｂを有するものであってもよい。かかる構成とした場合は、回転体３２を回転させると、発光体群Ａ，Ｂによって形成された帯状の光がそれぞれ支軸４０を中心として互いに逆方向に旋回するように設けられている。また、発光体群Ａ，Ｂを混在させた場合は、これらによって形成される螺旋状の光の帯が互いに絡まりながら次々と回転体３２の軸方向に進むように見え、発光体群Ａのみを設けた場合に比べてより一層複雑な演出効果を得ることができる。
【００３６】
上記実施形態において、各発光体３４は、回転体３２の外周面４２において螺旋を描くように並べて配置されていたが、本発明はこれに限定されるものではなく、回転体３２の外周面４２に環状に設けられたものであってもよい。また、発光体３４は、遮光部材３６を台座として回転体３２の内側に収容され、回転体３２の小孔３３を介して光を放射可能なものであったが、本発明はこれに限定されるものではなく、例えば回転体３２の外周面４２を台座として取り付ける等して、発光体３４の一部又は全部が回転体３２の外側に露出した構成としてもよい。
【００３７】
上記したサイドランプ３０は、支軸４０の伸びる方向に長い軸状あるいは筒状の回転体３２を一つ備えたものであったが、本発明はこれに限定されるものではなく、例えば図９に示すように、支軸４０に対して回転体５０を複数並べて設けた構成としてもよい。また、図９に示すように回転体５０を複数並べて設けた場合は、支軸４０に対してこれらが一体となって回転するものであっても、支軸４０に対してそれぞれ独立的に回転するものであってもよい。各回転体５０がそれぞれ一体となって回転する場合は、上述したように回転体３２に対して複数の発光体３４を取り付けた場合と同様に残像効果などの影響により、支軸４０の長手方向に一連の模様が形成されているかのように見える演出効果を得ることができる。また、各回転体５０がそれぞれ独立的に回転可能とした場合は、各回転体５０毎にそれぞれ独立的に回転させることにより、各回転体５０毎に模様が形成されているかのように見える演出効果を得ることができる。
【００３８】
上記実施形態では、発光体３４として発光ダイオードを採用した例を例示したが、発光体３４には例えば従来公知の電球等、様々なものを採用することができる。上述したように発光体３４として発光ダイオードを採用した場合は、光の直進性が高く、螺旋状に並べられた発光ダイオード３４によって形成される光の帯が鋭く光って見えるが、発光体３４として電球等を採用した場合は、発光ダイオードを採用した場合よりも光が分散する。そのため、発光体３４として電球等のような分散性を有する光を発するものを採用すれば、発光体３４によって形成される螺旋状の光の帯が発光ダイオードを採用した場合に比べて拡がりを持ったように見え、さらに異なる演出効果を得ることができる。
【００３９】
また、上記実施形態で示したサイドランプ３０は、回転体３２が外部に露出した構造のものであったが、本発明はこれに限定されるものではなく、例えば図１０や図１１に示すように、回転体３２の外部に透光性を有するカバー部材６０を設けた構成とすることも可能である。また、回転体３２の外部に前述したようなカバー部材６０を設ける場合は、透明なものを採用することが可能であるが、例えばシボ入りのもののように光を散乱させることが可能なものを採用することも可能である。前述したカバー部材６０として光を散乱させることが可能なものを採用した場合は、発光体３４をなす発光ダイオードから放出される直進性の高い光がカバー部材において幾ばくか散乱した状態で遊技者の目に入ることとなる。そのため、回転体３２の外側にカバー部材を設ける場合は、透光性等の異なるカバー部材を適宜選択することにより、各発光体３４が発光するによる演出効果を様々に変化させることができる。
【００４０】
また、サイドランプ３０において、回転体３２の外周面４２に、図１２に示すカバー部材７０のように透光性の高い透光部７１と、透光性の低い遮蔽部７２とが周方向に並ぶように形成されたものを配した構成とすることも可能である。かかる構成とした場合は、回転体３２の外周面４２に設けられた各発光体３４から発せられる光が透光部７１のみを介してカバー部材７０の外側に漏れる。そのため、図１２に示すような構成とした場合は、回転体３２の回転に伴って透光部７１を上下方向に光が進むように見えることとなり、上述したのとはさらに異なる演出効果を得ることができる。
【００４１】
上記実施形態で示した回転体３２，５０は、いずれも断面形状がほぼ円形のものであったが、本発明はこれに限定されるものではなく、例えば断面形状が多角形や楕円形のものであったり、外観形状が円錐や三角錐のような錐状のもの等、適宜の形状とすることができる。
【００４２】
なお、上記実施形態で示した遊技機５０は、いわゆるスロットマシンであったが、本発明はこれに限定されるものではなく、例えばパチンコ機に代表されるような他の種類の遊技機であってもよい。
【図面の簡単な説明】
【００４３】
【図１】本発明の一実施形態に係る遊技機を示す正面図である。
【図２】遊技機の内部構造を示す正面図である。
【図３】図１に示す遊技機が備える発光装置を示す斜視図である。
【図４】図３に示す発光装置の断面図である。
【図５】図１に示す遊技機が備える制御手段の構成を示すブロック図である。
【図６】図３に示す発光装置の作動状態を示す斜視図である。
【図７】図３に示す発光装置の変形例を示す斜視図である。
【図８】図３に示す発光装置の変形例を示す斜視図である。
【図９】図３に示す発光装置の変形例を示す斜視図である。
【図１０】図３に示す発光装置の変形例を示す斜視図である。
【図１１】図１０に示す発光装置の断面図である。
【図１２】図３に示す発光装置の変形例を示す斜視図である。
【符号の説明】
【００４４】
１０          遊技機
３０          サイドランプ（発光装置）
３２，５０    回転体
３４          発光体
４２          外周面
６０，７０    カバー部材
７１          透光部
７２          遮光部
Ｌ          軸心
Ｈ          光軸
【図１】
2009279285.tif 000003
【図２】
2009279285.tif 000004
【図３】
2009279285.tif 000005
【図４】
2009279285.tif 000006
【図５】
2009279285.tif 000007
【図６】
2009279285.tif 000008
【図７】
2009279285.tif 000009
【図８】
2009279285.tif 000010
【図９】
2009279285.tif 000011
【図１０】
2009279285.tif 000012
【図１１】
2009279285.tif 000013
【図１２】
2009279285.tif 000014